【手続補正書】
【提出日】平成22年11月8日(2010.11.8)
【手続補正１】
【補正対象書類名】明細書
【補正対象項目名】発明の名称
【補正方法】変更
【補正の内容】
【発明の名称】有機金属化合物からの金属の回収方法
【手続補正２】
【補正対象書類名】特許請求の範囲
【補正対象項目名】全文
【補正方法】変更
【補正の内容】
【特許請求の範囲】
【請求項１】
発光素子から一対の電極のうち少なくとも一方の電極を剥離してＥＬ層を露出させる第１の段階を有し、
前記第１の段階において、前記ＥＬ層は三重項励起状態からの可視光発光可能な有機金属化合物を含んでおり、前記発光素子は前記一対の電極及び前記一対の電極の間に形成された前記ＥＬ層を有するものであり、
前記ＥＬ層を溶媒に溶かして第１の溶液又は混合物にする第２の段階を有し、
前記第１の溶液又は前記混合物を大気下又は酸素雰囲気下、８００℃以上で加熱処理する第３の段階を有し、
前記加熱処理後に残った金属酸化物を回収する第４の段階を有することを特徴とする有機金属化合物からの金属の回収方法。
【請求項２】
請求項１において、
前記金属酸化物を酸性の水で処理して、前記金属酸化物が溶解した第２の溶液を得る第５の段階を有することを特徴とする有機金属化合物からの金属の回収方法。
【請求項３】
請求項１において、
前記金属酸化物を酸性の水で処理して、前記金属酸化物が溶解した第２の溶液を得る第５の段階と、
前記第２の溶液を電気分解する第６の段階と、を有することを特徴とする有機金属化合物からの金属の回収方法。
【請求項４】
請求項１において、
前記金属酸化物を酸性の水で処理して、前記金属酸化物が溶解した第２の溶液を得る第５の段階と、
前記金属酸化物が溶解した前記第２の溶液に含まれる金属と有機配位子とを反応させて金属錯体を形成する第６の段階を有することを特徴とする有機金属化合物からの金属の回収方法。
【請求項５】
請求項１において、
前記金属酸化物を酸性の水で処理して、前記金属酸化物が溶解した第２の溶液を得る第５の段階と、
前記金属酸化物が溶解した前記第２の溶液に含まれる金属と有機配位子とを反応させて金属錯体を形成する第６の段階と、
前記金属錯体を溶解する溶媒を用いて前記金属錯体を抽出する第７の段階と、を有することを特徴とする有機金属化合物からの金属の回収方法。
【請求項６】
発光素子から一対の電極のうち少なくとも一方の電極を剥離してＥＬ層を露出させる第１の段階を有し、
前記第１の段階において、前記ＥＬ層は三重項励起状態からの可視光発光可能な有機金属化合物を含んでおり、前記発光素子は前記一対の電極及び前記一対の電極の間に形成された前記ＥＬ層を有するものであり、
前記ＥＬ層を溶媒に溶かして第１の溶液又は混合物にする第２の段階を有し、
前記第１の溶液又は前記混合物を還元雰囲気下、もしくは、還元剤と共に８００℃以上で加熱処理する第３の段階を有し、
前記加熱処理後に残った金属を回収する第４の段階を有することを特徴とする有機金属化合物からの金属の回収方法。
【請求項７】
請求項６において、
前記金属を酸性の水で処理して、前記金属が溶解した第２の溶液を得る第５の段階を有することを特徴とする有機金属化合物からの金属の回収方法。
【請求項８】
請求項６において、
前記金属を酸性の水で処理して、前記金属が溶解した第２の溶液を得る第５の段階と、
前記第２の溶液を電気分解する第６の段階と、を有することを特徴とする有機金属化合物からの金属の回収方法。
【請求項９】
請求項６において、
前記金属を酸性の水で処理して、前記金属が溶解した第２の溶液を得る第５の段階と、
前記第２の溶液に含まれる前記金属と有機配位子とを反応させて金属錯体を形成する第６の段階と、を有することを特徴とする有機金属化合物からの金属の回収方法。
【請求項１０】
請求項６において、
前記金属を酸性の水で処理して、前記金属が溶解した第２の溶液を得る第５の段階と、
前記第２の溶液に含まれる前記金属と有機配位子とを反応させて金属錯体を形成する第６の段階と、
前記金属錯体を溶解する溶媒を用いて、前記金属錯体を抽出する第７の段階と、を有することを特徴とする有機金属化合物からの金属の回収方法。
【請求項１１】
発光素子から一対の電極のうち少なくとも一方の電極を剥離してＥＬ層を露出させる第１の段階を有し、
前記第１の段階において、前記ＥＬ層は三重項励起状態からの可視光発光可能な有機金属化合物を含んでおり、前記発光素子は前記一対の電極及び前記一対の電極の間に形成された前記ＥＬ層を有するものであり、
前記ＥＬ層を溶媒に溶かして第１の溶液又は混合物にする第２の段階を有し、
前記第１の溶液又は前記混合物にマイクロ波を照射する第３の段階を有することを特徴とする有機金属化合物からの金属の回収方法。
【請求項１２】
請求項１１において、
前記第１の溶液又は前記混合物を酸性の水で処理して、前記金属を含む第２の溶液、もしくは前記金属を含む懸濁液を形成する第４の段階、を有することを特徴とする有機金属化合物からの金属の回収方法。
【請求項１３】
請求項１１において、
前記第１の溶液又は前記混合物を酸性の水で処理して、前記金属を含む第２の溶液、もしくは前記金属を含む懸濁液を形成する第４の段階と、
前記第２の溶液又は前記懸濁液を電気分解する第５の段階を有することを特徴とする有機金属化合物からの金属の回収方法。
【請求項１４】
請求項１１において、
前記第１の溶液又は前記混合物を酸性の水で処理して、前記金属を含む第２の溶液、もしくは前記金属を含む懸濁液を形成する第４の段階と、
前記第２の溶液又は前記懸濁液に含まれる前記前記金属と有機配位子とを反応させて金属錯体を形成する第５の段階を有することを特徴とする有機金属化合物からの金属の回収方法。
【請求項１５】
請求項１１において、
前記第１の溶液又は前記混合物を酸性の水で処理して、前記金属を含む第２の溶液、もしくは前記金属を含む懸濁液を形成する第４の段階と、
前記第２の溶液又は前記懸濁液に含まれる前記金属と有機配位子とを反応させて金属錯体を形成する第５の段階と、
前記金属錯体を、前記金属錯体を溶解する溶媒を用いて抽出する第６の段階と、を有することを特徴とする有機金属化合物からの金属の回収方法。
【請求項１６】
発光素子から一対の電極のうち少なくとも一方の電極を剥離してＥＬ層を露出させる第１の段階を有し、
前記第１の段階において、前記ＥＬ層は三重項励起状態からの可視光発光可能な有機金属化合物を含んでおり、前記発光素子は前記一対の電極及び前記一対の電極の間に形成された前記ＥＬ層を有するものであり、
前記ＥＬ層を溶媒に溶かして第１の溶液又は混合物にする第２の段階を有し、
前記第１の溶液又は前記混合物を酸性の水で処理して、金属を含む第２の溶液又は前記金属を含む懸濁液を形成する第３の段階を有することを特徴とする有機金属化合物からの金属の回収方法。
【請求項１７】
請求項１６において、
前記第２の溶液又は前記懸濁液を電気分解する第４の段階を有することを特徴とする有機金属化合物からの金属の回収方法。
【請求項１８】
請求項１６において、
前記第２の溶液又は前記懸濁液に含まれる前記金属と有機配位子とを反応させて金属錯体を形成する第４の段階を有することを特徴とする有機金属化合物からの金属の回収方法。
【請求項１９】
請求項１６において、
前記第２の溶液又は前記懸濁液に含まれる前記金属と有機配位子とを反応させて金属錯体を形成する第４の段階と、
前記金属錯体を、前記金属錯体を溶解する溶媒を用いて抽出する第５の段階と、を有することを特徴とする有機金属化合物からの金属の回収方法。